(57)【要約】【課題】容器本体への気体透過シートの取り付けが容易にでき且つ容器本体からはずれにくい気体透過部材等を提供することを課題とする。【解決手段】気体を透過する気体透過シートと、前記気体透過シートを保持する保持体とを備え、内部空間と連通する貫通孔が表面に開口している容器本体に、前記開口から挿入されることで前記気体透過シートを介して前記内部空間と前記容器本体の外部空間との間で通気を行うように取り付けられる気体透過部材であって、前記気体透過部材は、前記貫通孔の内壁上に接触し、且つ、開口側から引き抜く方向に力が加わった際に接触位置において前記内壁上を前記開口側に向かって押圧する押圧部を更に備えている気体透過部材等である。【選択図】図１
2015181153.tif 000002
【特許請求の範囲】
【請求項１】
気体を透過する気体透過シートと、前記気体透過シートを保持する保持体とを備え、
内部空間と連通する貫通孔が表面に開口している容器本体に、前記開口から挿入されることで前記気体透過シートを介して前記内部空間と前記容器本体の外部空間との間で通気を行うように取り付けられる気体透過部材であって、
前記気体透過部材は、前記貫通孔の内壁上に接触し、且つ、開口側から引き抜く方向に力が加わった際に接触位置において前記内壁上を前記開口側に向かって押圧する押圧部を更に備えている気体透過部材。
【請求項２】
前記押圧部は、一端側が前記保持体の外面に固定され、他端側が前記内壁上を押圧する押圧片であって、該押圧片は、前記他端側が前記一端側よりも、前記貫通孔内において開口側に配置されるように構成されている請求項１に記載の気体透過部材。
【請求項３】
前記保持体の開口側に配置される固定部材を備え、
前記押圧部は、一端側が前記固定部材の外面に固定され、他端側が前記内壁上を押圧する押圧片であって、該押圧片は、前記他端側が前記一端側よりも、前記貫通孔内において開口側に配置されるように構成されている請求項１に記載の気体透過部材。
【請求項４】
前記固定部材は、前記保持体の外面に係止可能に構成された係止部材を備えている請求項３に記載の気体透過部材。
【請求項５】
前記貫通孔の内部において、弾性変形による復元力によって前記保持体を前記開口側に向けて付勢する弾性部を備えている請求項１乃至４のいずれか一項に記載の気体透過部材。
【請求項６】
請求項１乃至５のいずれか一項に記載の気体透過部材を備えた通気性容器。
【発明の詳細な説明】
【技術分野】
【０００１】
本発明は、気体を選択的に透過させる気体透過部材、該気体透過部材を備えた通気性容器に関する。
【背景技術】
【０００２】
密封された容器内で気体が発生すると、容器内の気圧が上昇して容器が破損したり爆発したりする虞がある。例えば、二次電池、電解コンデンサ、電気二重層キャパシタなどのような蓄電素子においては、使用時に、電極が収容された容器内において特定のガスが発生するため、斯かるガスが容器外へ排出されないと、容器の破損や爆発を生じる虞がある。このため、容器内の気体を容器の外側へ排出する構造が種々提案されている。
【０００３】
例えば、蓄電素子を構成する容器としては、電極や電解液を収容する容器であって、気体を透過させる気体透過部を備え、該気体透過部を介して内側から外側への気体の流通を可能にしたもの（以下、通気性容器）が提案されている。
斯かる通気性容器では、電極や電解液を収容する容器本体に形成された貫通孔に、気体を透過する気体透過シートが該貫通孔を覆うように取り付けられることで、気体透過部が形成されている。これにより、通気性容器の内側で発生した気体が気体透過部（具体的には、気体透過シート）を透過することで、通気性容器の外側へ排出されるように構成されている（特許文献１及び２参照）。
【０００４】
上記のような気体透過シートは、極めて薄いシートであり非常に損傷しやすい。また、前記気体透過シートは、表面に不純物等が付着した場合には気体透過性能が低下するため、汚染しないように取り扱う必要がある。従って、気体透過シートを損傷や汚染を防止しながら、貫通孔の開口のサイズに合わせて切断したり、貫通孔の開口縁部に配置したりすることは非常に煩雑な作業である。
【０００５】
そこで、気体透過シートが保持体に保持された気体透過部材を、上記のような容器本体の貫通孔に取り付けられた通気性容器がある。
かかる気体透過部材としては、例えば、保持体に気体を流通させる通気孔が形成されており、該通気孔に交差するような方向で気体透過シートが保持されているものがある。該気体透過部材が容器本体の貫通孔に挿入されて取り付けられることで、通気性容器の内側で発生した気体が通気孔内で気体透過シートを透過して、容器の外側へ排出されるように構成される。かかる気体透過部材は、保持体と気体透過シートとが一体化されているため、容器本体に気体透過シートを取り付ける作業が容易にできる。
【０００６】
一方、前記貫通孔は、通常、通気性容器の内部の圧力が容器の破損や爆発を生じない程度に通気できればよいため、必要最小限のサイズに設定される。従って、例えば、容器内の気圧が何らかの理由で急に上昇した場合には、貫通孔付近に高い圧力がかかり、気体透過部材が貫通孔からはずれやすいという問題がある。
気体透過部材を貫通孔に強固に取り付けるために接着剤等を用いることが考えられるが、高い強度で接着することは困難である。さらに、接着剤等を用いて気体透過部材を容器本体に取り付ける場合には、貫通孔の内壁や、保持体の外面に接着剤を塗布する工程が必要となり、製造作業は煩雑になる。
【先行技術文献】
【特許文献】
【０００７】
【特許文献１】国際公開ＷＯ２００９／１９４７号公報
【特許文献２】特許第４２８００１４号公報
【発明の概要】
【発明が解決しようとする課題】
【０００８】
そこで、本発明は、容器本体への気体透過シートの取り付けが容易にでき且つ容器本体から比較的はずれにくい気体透過部材を提供することを課題とする。
また、本発明は、気体透過シートの取り付けが容易にでき且つ容器本体から気体透過部材が比較的はずれにくい通気性容器を提供することを課題とする。
【課題を解決するための手段】
【０００９】
本発明に係る気体透過部材は、気体を透過する気体透過シートと、前記気体透過シートを保持する保持体とを備え、内部空間と連通する貫通孔が表面に開口している容器本体に、前記開口から挿入されることで前記気体透過シートを介して前記内部空間と前記容器本体の外部空間との間で通気を行うように取り付けられる気体透過部材であって、前記気体透過部材は、前記貫通孔の内壁上に接触し、且つ、開口側から引き抜く方向に力が加わった際に接触位置において前記内壁上を前記開口側に向かって押圧する押圧部を更に備えている。
【００１０】
本発明によれば、上記構成を有する気体透過部材は、容器本体の貫通孔に該貫通孔の開口から挿入されることで気体透過シートを介して内部空間と容器本体の外部空間との間で通気するように容器本体に取り付けられた際に、気体透過部材の押圧部が、前記貫通孔の内壁上に接触し、且つ、開口側から引き抜く方向に力が加わった際に接触位置において内壁上を前記開口側に向かって押圧する。従って、気体透過部材を開口側から引き抜く方向に力が加わった場合でも、押圧部が開口側に向かって貫通孔の内壁上を押圧しているため、該押圧部が前記引き抜く方向の力に抗することができる。よって、気体透過部材が貫通孔から比較的はずれにくい。
【００１１】
本発明において、前記押圧部は、一端側が前記保持体の外面に固定され、他端側が前記内壁上を押圧する押圧片であって、該押圧片は、前記他端側が前記一端側よりも、前記貫通孔内において開口側に配置されるように構成されていてもよい。
【００１２】
前記押圧部は、一端側が前記保持体の外面に固定され、他端側が前記内壁上を押圧する押圧片であって、該押圧片は、前記他端側が前記一端側よりも、前記貫通孔内において開口側に配置されるように構成されている場合には、前記押圧片の他端側によって貫通孔の内壁上を前記開口側に向かって押圧することができ、気体透過部材を開口から引き抜く方向に力が加わった場合にも該力に抗することができる。よって、気体透過部材が貫通孔から比較的はずれにくい。
【００１３】
本発明において、前記保持体の開口側に配置される固定部材を備え、前記押圧部は、一端側が前記固定部材の外面に固定され、他端側が前記内壁上を押圧する押圧片であって、該押圧片は、前記他端側が前記一端側よりも、前記貫通孔内において開口側に配置されるように構成されていてもよい。
【００１４】
前記保持体の開口側に配置される固定部材を備え、前記押圧部は、一端側が前記固定部材の外面に固定され、他端側が前記内壁上を押圧する押圧片であって、該押圧片は、前記他端側が前記一端側よりも、前記貫通孔内において開口側に配置されるように構成されていている場合には、保持体の開口側に固定部材を配置して、該固定部材に固定された押圧片の他端側によって貫通孔の内壁上を前記開口側に向かって押圧することができ、気体透過部材を開口から引き抜く方向に力が加わった場合にも該力に抗することができる。
また、保持体の開口側に押圧片を備えた固定部材が配置されることで、保持体が貫通孔から抜けることを固定部材によって抑えることができる、よって、気体透過部材が貫通孔から比較的はずれにくい。
【００１５】
前記固定部材は、前記保持体の外面に係止される係止部材を備えていてもよい。
【００１６】
前記固定部材が前記保持体の外面に係止される係止部材を備えている場合には、固定部材を保持体の外面に係止部材によって係止することができ、保持体と固定部材とを一体的に取り付けることができる。よって、固定部材と保持体とをあらかじ一体化しておいてから、容器本体の貫通孔に挿入することができ、気体透過部材を容易に容器本体に取りつけることができる。
【００１７】
前記気体透過部材は、前記貫通孔の内部において、弾性変形による復元力によって前記保持体を前記開口側に向けて付勢する弾性部を備えていてもよい。
【００１８】
前記気体透過部材が、前記貫通孔の内部において、弾性変形による復元力によって前記保持体を前記開口側に向けて付勢する弾性部が備えられている場合には、該弾性部によって、保持体は貫通孔において開口側に向かって付勢されるが、該弾性部による付勢によって、押圧部が開口側に向かって貫通孔の内壁上を押圧する力がより強くなる。従って、気体透過部材が貫通孔からよりはずれにくくなる。
【００１９】
本発明に係る通気性容器は、前記各気体透過部材を備えた通気性容器である。
【発明の効果】
【００２０】
本発明によれば、容器本体への気体透過シートの取り付けが容易にでき且つ容器本体から比較的はずれにくい気体透過部材を提供することができる。
また、本発明によれば、気体透過シートの取り付けが容易にでき且つ容器本体から気体透過部材が比較的はずれにくい通気性容器を提供することができる。
【図面の簡単な説明】
【００２１】
【図１】本実施形態の気体透過部材の概略を示す一部断面斜視図。
【図２】本実施形態の通気性容器を示す一部断面図。
【図３】他の実施形態の気体透過部材の概略を示す図であって、（ａ）第一部材の一部断面斜視図、（ｂ）第二部材の一部断面斜視図、（ｃ）気体透過部材の一部断面斜視図。
【図４】他の実施形態の気体透過部材の概略を示す斜視図。
【図５】他の実施形態の通気性容器を示す一部断面斜視図。
【図６】他の実施形態の気体透過部材の各部材の概略を示す一部断面斜視図。
【図７】他の実施形態の気体透過部材の概略を示す斜視図。
【図８】他の実施形態の通気性容器を示す一部断面斜視図。
【図９】他の実施形態の気体透過部材の各部材の概略を示す一部断面斜視図。
【図１０】他の実施形態の気体透過部材の概略を示す斜視図。
【図１１】他の実施形態の通気性容器を示す一部断面斜視図。
【発明を実施するための形態】
【００２２】
以下、本発明の実施形態について図１〜図１１を参照しながら説明する。尚、以下の図面において同一または相当する部分には同一の参照符号を付しその説明は繰り返さない。
【００２３】
《第一実施形態》
第一実施形態の気体透過部材１は、図１及び２に示すように、気体を透過する気体透過シート３と、前記気体透過シート３を保持する保持体２とを備え、内部空間Ｓと連通する貫通孔１１ａが表面に開口している容器本体１１に、前記開口から挿入されることで前記気体透過シート３を介して内部空間Ｓと容器本体１１の外部とで気体を通気するように取り付けられる気体透過部材１であって、前記気体透過部材１は、前記貫通孔１１ａの内壁上に接触し、且つ、開口側から引き抜く方向に力が加わった際に接触位置において前記内壁上を前記開口側に向かって押圧する押圧部４をさらに備えている。
【００２４】
気体透過部材１は、気体を透過する気体透過シート３と、前記気体透過シート３を保持する保持体２と、押圧部４とを備えている。
【００２５】
前記保持体２は、第一部材２１と、該第一部材２１の一方の端部側を覆うように連結されている第二部材２２とから構成されている。第一部材２１は、両端に開口する孔を有する円筒形状の部材である。第二部材２２は、第一部材２１の一方の端部側の端面を覆う円形状の天板部２２ａと、該天板部２２ａの周縁部から、第一部材２１の側面を覆うように他方の端部側に向かって延設されている側壁部２２ｂとから構成されている。天板部２２ａの中央部には、第一部材２１と第二部材２２とを連結した時に、第一部材２１の孔と連通する孔が形成されている。すなわち、第一部材２１の孔と第二部材２２の孔とが、後述するような保持体２の通気孔６の一部を構成する。
第二部材２２の側壁部２２ｂの内径は第一部材２１の外径よりわずかに大きく形成されており、前記第一部材２１の一方の端部側が、第二部材２２の側壁部２２ｂの内側に嵌合されることで両部材は連結されている。
【００２６】
本実施形態において、保持体２の一方の端部側は、後述するように容器本体１１の貫通孔１１ａに挿入した場合に開口側となり、保持体２の他方の端部側は貫通孔１１ａの開口部と反対となる内部側に配置される。以下、保持体２の一方の端部側を開口側、保持体２の他方の端部側を内部側ともいう。
また、保持体２の通気孔６の開口側から内部側を結ぶ線であって中心を通る線を軸線Ｌという。
【００２７】
保持体２の各部材を構成する材質は、特に限定されるものではないが、例えば、アルミニウム、ステンレス等の金属、フェノール樹脂、ＰＢＴ樹脂、ＰＰＳ樹脂等の合成樹脂が挙げられる。
特に、アルミニウム、ステンレス等の金属が耐熱性、耐薬品性の観点から好ましい。
【００２８】
前記押圧部４は、前記保持体２の外面、すなわち、本実施形態の場合には第二部材２２の側壁部２２ｂの外周面に、周方向に所定の間隔を有して取り付けられている複数（本実施形態では６個）の矩形状の板状体の押圧片４ａから構成されている。
具体的には、本実施形態の押圧片４ａは、一端側（板状体の一辺側）が前記保持体の第二部材２２の外周面に固定され、他端側である先端部（板状体の前記一辺と対向する一辺側）は、第二部材２２の天板部２２ａの周縁部より外側に突出するように配置されている。
各押圧片４ａは側面側からみて先端部が、保持体２の開口側に向うように傾斜して配置されている。具体的には、図２に示すように、気体透過部材１が容器本体１１の貫通孔１１ａに挿入された際に、貫通孔１１ａ内部において、押圧片４ａの先端部が一端側よりも開口側に近い位置に配置されるように、押圧片４ａは保持体２に取り付けられている。
また、保持体２を開口側から見た場合に、一の押圧片４ａの先端と他の押圧片４ａの先端を結ぶ線のうちもっとも長い線の長さは、気体透過部材１が取り付けられる容器本体１１の貫通孔１１ａの内径よりもわずかに大きくなるように押圧片４ａは構成されている。すなわち、気体透過部材１が、容器本体１１の貫通孔１１ａの開口から挿入された時に、貫通孔１１ａの内壁上と押圧片４ａの先端とが接触し、且つ該接触位置において前記先端が内壁上を前記開口側に向かって押圧するように、押圧片４ａは構成されている。
【００２９】
押圧片４ａは、押圧片４ａの先端に保持体２の中心軸側に向かって力を加えた場合に、押圧片４ａと保持体２の外周面との間の角度が小さくなるように、すなわち、押圧片４ａの他端部が保持体２の外周面に向かって移動可能に構成されている。さらに、押圧片４ａの先端に加えた力を解除した場合には、押圧片４ａは元の位置に戻ろうとする。
押圧片４ａを前記のように移動可能にするための手段としては、例えば、押圧片４ａを可撓性のある材質から構成すること等が挙げられる。
また、押圧片４ａを前記のようにもとの位置に戻るようにするための手段としては、例えば、押圧片４ａをある程度弾性のある材質から構成すること等が挙げられる。
【００３０】
本実施形態の押圧片４ａは、前述のように、保持体２の第二部材２２の側壁部２２ｂの外周面において周方向に所定の間隔を有して配置されていることにより、前述のように、押圧片４ａの先端に保持体２の中心軸側に向かって力を加えた場合に、押圧片４ａの他端部が保持体２の外周面に向かってより移動しやすくなる。
【００３１】
また、本実施形態の押圧片４ａは、保持体２と一体成形されることで取り付けられている。すなわち、保持体２が成形される際に、押圧片４ａも保持体２と同時に形成される。
【００３２】
前記気体透過シート３は、前記保持体２の通気孔６の軸線Ｌと交差する方向に配置されている。本実施形態では、第一部材２１の一方の端部、すなわち第二部材２２で覆われる側の端部に、該端部側の開口を覆うように配置されており、且つ、保持体２の第一部材２１と第二部材２２との間に挟むように保持されている。
第二部材２２の天板部２２ａの開口において、気体透過シート３の中央部は外側に露出している。
【００３３】
前記気体透過シート３としては、特定の気体を選択的に透過させる選択性透過シートや、特定の気体に対して選択性を有さない非選択性透過シートが挙げられる。
本実施形態では、複数（具体的には、２枚）の気体透過シート３が用いられ、一方が選択性透過シート３ａであり、他方が非選択性透過シート３ｂである。
【００３４】
選択性透過シート３ａは、一方の面側から他方の面側へ特定の気体を選択的に透過可能に構成される。選択性透過シート３ａが透過可能な気体としては、特に限定されるものではなく、例えば、水素、二酸化炭素、酸素等のガスが挙げられる。
水素ガスに対する選択性を有する選択性透過シート３ａとしては、例えば、芳香族ポリイミド等の樹脂を含むシート材や、水素透過性金属（バナジウム、バナジウム合金、パラジウム合金、ニオブ、ニオブ合金等）の層を含むシート材から構成されたものが挙げられる。水素透過性金属層を含むシート材としては、水素透過性金属層からなるシート材（金属箔）や、樹脂シート等の基材層に金属層が蒸着等されてなるシート材等が挙げられる。二酸化炭素を選択的に透過させる選択性透過シート３ａとしては、シリコーンゴムからなるシート材、ＰＶＡ架橋シート材、ＰＥＧ架橋シート材等から構成されるものが挙げられる。
【００３５】
非選択性透過シート３ｂは、選択性透過シート３ａと重なるように選択性透過シート３ａの少なくとも一方の面側に配置される。非選択性透過シート３ｂとしては、重ねられる選択性透過シート３ａの性状等に応じて適宜選択可能であるが、例えば、ポリテトラフルオロエチレン（ＰＴＦＥ）、セラミック、金属、樹脂等からなる多孔質膜等のシート材から構成されるものが挙げられる。特に、ＰＴＦＥからなる多孔質膜は、撥水性が高く、耐熱性、耐薬品性も高いため、非選択性透過シート３ｂを構成するシート材として好ましい。
【００３６】
本実施形態の気体透過部材１は、容器本体１１の前記貫通孔１１ａの内部において、弾性変形による復元力によって前記保持体２を容器本体１１の開口側に向けて付勢する弾性部を備えている。
本実施形態の弾性部は、保持体２の第一部材２１の内部側の端部に形成された凹部２１ａ内に嵌合されたゴム部材５から構成されている。
ゴム部材５は、中央部に孔が形成された環形状であり、該孔と、前記保持体２の第一部材２１の孔とが連通するように、保持体２の第一部材２１の他方の端部に形成された凹部２１ａに嵌合されている。
すなわち、保持体２にゴム部材５が嵌合されることで、保持体２の第一部材２１及び第二部材２２の孔と該ゴム部材５の孔とから気体透過部材１の通気孔６が構成される。
ゴム部材５は、保持体２の軸線Ｌ方向に圧縮可能である。また、ゴム部材５は、保持体２の内部側の端部の面から内部側に向かってわずかに突出するような厚みに形成されている。
【００３７】
次に、以上のような気体透過部材１が備えられた本実施形態の通気性容器１０について説明する。
本実施形態の通気性容器１０は、内部空間Ｓと連通する貫通孔１１ａが表面に開口している容器本体１１を備えている。
容器本体１１の貫通孔１１ａの形状は、容器本体１１の外側の開口より、内部側の開口の方が開口径が小さくなるように形成されている。
貫通孔１１ａの内部側の開口の大きさは前記ゴム部材５の孔の内径とほぼ一致する程度の径であり、該内部側の開口の周縁部はゴム部材５が配置可能な貫通孔１１ａの底面１１ｂとして形成されている。
【００３８】
通気性容器１０は、例えば、二次電池や、電解コンデンサ（アルミ電解コンデンサ等）や、電気二重層キャパシタ等の蓄電素子を構成する部材として、電極等を収容するために使用される。
通気性容器１０がこれらの蓄電素子部材である場合には、容器本体１１の内部では、種々の気体が発生する。例えば、通気性容器１０がアルミ電解コンデンサを構成する容器として使用される場合には、水素ガスが発生し、電気二重層キャパシタを構成する容器として使用される場合には、二酸化炭素ガスが発生することになる。
このため、通気性容器１０内で発生する気体の種類に応じて、選択性透過シート３ａを構成する素材を選択することが好ましい。
【００３９】
前記気体透過部材１は、容器本体１１の外面の開口から、保持体２の内部側、すなわち弾性部を構成するゴム部材５が嵌合されている側から挿入されることで、容器本体１１に取り付けられる。
【００４０】
気体透過部材１の押圧片４ａは、該押圧片４ａの先端が保持体２の外周面側に向かって移動可能に構成されており、且つ、一の押圧片４ａの先端と他の押圧片４ａの先端を結ぶ対角線の長さは、容器本体１１の貫通孔１１ａの内径よりもわずかに大きくなるように設定されている。従って、気体透過部材１を容器本体１１の貫通孔１１ａに挿入する際に、貫通孔１１ａの内壁によって、押圧片４ａの先端は保持体２の中心軸側に向かって押圧されることになる。この場合に、押圧片４ａの先端は保持体２の外周面側に移動するように構成されているため、気体透過部材１を貫通孔１１ａに挿入する際は、押圧片４ａが邪魔になることなく挿入できる。気体透過部材１を貫通孔１１ａに挿入後には、押圧片４ａが、元の位置に戻ろうとするため、押圧片４ａが貫通孔１１ａの内壁上を押圧した状態になる。
【００４１】
また、貫通孔１１ａにおいて、容器本体１１の開口側を上方、内部側を下方とした場合に、押圧片４ａの先端は上方に向かって傾斜して配置されているため、押圧片４ａの先端は貫通孔１１ａの内壁上を、斜め上方、すなわち、接触位置において開口側に向かって（図２に示すＡ方向に向かって）押圧している状態で、気体透過部材１は貫通孔１１ａ内に配置されている。
【００４２】
また、気体透過部材１の他方の端部にはゴム部材５が、保持体２の端部よりもわずかに内部側に突出するように嵌合されている。
そのため、容器本体１１の貫通孔の底面１１ｂにゴム部材５が配置された状態で、気体透過部材１がさらに開口側から挿入されることでゴム部材５は圧縮される。
本実施形態の弾性部はゴム部材５が圧縮された状態で貫通孔１１ａの底面１１ｂに配置されるため、該貫通孔１１ａの底面１１ｂとのシール性が良好になる。
【００４３】
以上のように、容器本体１１の貫通孔１１ａに気体透過部材１が取り付けられた通気性容器１０は、前記押圧部４と貫通孔１１ａの内壁との摩擦によって、気体透過部材１を係止させながら気体透過部材１を容器本体１１に固定することができる。よって、押圧部４による貫通孔の内壁上に対する押圧力で気体透過部材１が外れにくくできる。
【００４４】
また、前記通気性容器１０においては、気体透過部材１は、ゴム部材５の弾性変形による復元力によって前記保持体を前記開口側に向けて付勢している。
一方、前記押圧部４は、貫通孔１１ａの内壁上との接触位置において該内壁上を前記開口側に向かって、すなわち、斜め上方に向かって押圧する。従って、前記ゴム部材５による容器本体内部側から開口側への力によって、押圧部４が貫通孔１１ａの内壁上を押圧する力がより強くなり、気体透過部材１を、容器本体１１に押圧部４によってより強く固定された状態で取り付けることができ、気体透過部材１が容器本体１１からより外れにくい。
【００４５】
さらに、本実施形態の気体透過部材１は、前述のように、気体透過シート３が保持体２に取り付けられているため、気体透過部材１を挿入するだけで容器本体１１の貫通孔１１ａに気体透過シート３を配置することができる。
【００４６】
上記のような通気性容器１０は、例えば、二次電池や、電解コンデンサ（アルミ電解コンデンサ等）や、電気二重層キャパシタ等の蓄電素子を構成する部材として、電極等を収容するために使用される場合がある。斯かる場合、通気性容器１０の内部では、種々の気体が発生する。例えば、通気性容器１０がアルミ電解コンデンサを構成する容器として使用される場合には、水素ガスが発生し、電気二重層キャパシタを構成する容器として使用される場合には、二酸化炭素ガスが発生することになる。このため、通気性容器１０内で発生する気体の種類に応じて、選択性透過シート３ａを構成する素材を選択することで、特定の気体を通気性容器１０の外側へ排出することが可能となる。
【００４７】
《第二実施形態》
第二実施形態の気体透過部材１は、図３に示すように、保持体２が、嵌合可能な第一部材１２と、第二部材２２とから構成されている。
本実施形態の第一部材１２には、気体透過シート３として、選択性透過シート３ａと、非選択性透過シート３ｂとが取り付けられている。
【００４８】
具体的には、第一部材１２は、筒状の側壁部１２ｋと、該側壁部１２ｋの一方の端部側に配置された天板部１２ｌとを備えている。側壁部１２ｋの他方の端部側は開口１２ｍが形成されている。
前記天板部１２ｌは、上面視環状に形成されており、天板部１２ｌの中央部に側壁部１２ｋ内部と連通する開口１２ｎが形成されている。すなわち天板部１２ｌの開口１２ｎ、側壁部１２ｋの内周面および側壁部１２ｋの他方の開口１２ｍによって、前記側壁部１２ｋの軸方向に沿ってガスが通る通気経路が第一部材１２に形成されている。
通気経路は、一方の端部側（天板部１２ｌ側）から他方の端部側(開口１２ｍ側)へ向かって、軸方向（即ち、内側を流れる気体の流通方向）に直交する断面形状が断続的に広くなるように形成されている。
【００４９】
本実施形態の第一部材１２は、前記側壁部１２ｋの内側の二箇所にシート取付部１２ｏ、１２ｐを備えている。該シート取付部１２ｏ、１２ｐは、側壁部１２ｋの内周面から通気経路の中央部側に向かって延出するような環状の形状であり、前記他方の端部側（開口１２ｍ側）に形成されたシート取付部１２ｏには選択性透過シート３ａが、前記一方の端部側（天板部１２ｌ側）に形成されたシート取付部１２ｐには非選択性透過シート３ｂが取り付けられている。
【００５０】
本実施形態の第一部材１２は、前記側壁部１２ｋと天板部１２ｌとの連結部付近において、天板部１２ｌの外周縁から径方向に向かって放射状に突出する複数の押圧片４ａ（本実施形態で８つ）を備えている。
前記押圧片４ａは、側壁部１２ｋの軸と直交する面に対して傾斜を有するように取り付けられている。
本実施形態の気体透過部材１においては、押圧片４ａは、第一部材１２とは別体として成形された部材が、第一部材１２に取り付けられている。押圧片４ａと第一部材１２との取り付け手段は、溶接、接着等が挙げられる。
【００５１】
本実施形態の第二部材２２は、筒状の枠体２４と、該枠体２４に周縁部が支持されている気体透過シート３と、該気体透過シート３の一面側に重ねられて、該気体透過シート３と共に枠体２４に周縁部が支持されている固定板２３とを備えている。該固定板２３は中央部に開口２３ａを有している。
前記気体透過シート３の一面側は、前記固定板２３の開口２３ａ及び前記枠体２４の一方の端部側の開口２２ｅから露出され、気体透過シート３の他面側は、前記枠体２４の他方の端部側の開口２２ｆ及び前記固定板２３の開口２３ａから露出される。
すなわち、第二部材２２においては、枠体２４の開口及び固定板２３の開口によって通気経路が形成されている。
本実施形態の第二部材２２に取り付けられる気体透過シート３は、非選択性透過シート３ｂである。
【００５２】
本実施形態の枠体２４の材質は、特に限定されるものではないが、シリコーンゴム、ＥＰＤＭ等の弾性体であることが、第一部材１２とのシール性がよいため好ましい。
【００５３】
本実施形態の気体透過部材１は、前記第一部材２１に、前記第二部材２２を嵌合することで、一体的に取り付けられる。
具体的には、第一部材１２の他方の開口１２ｍから、前記第二部材２２を挿入して嵌合させる。このとき、第二部材２２の固定板２３が外側に配置されるように、第二部材２２を配置する。
【００５４】
また、本実施形態の気体透過部材１を、通気性容器の通気部に配置する場合には、気体透過部材１の前記第二部材２２が嵌合された側が容器本体の内部に近い側になるように、前記通気部に配置されることが好ましい。
この場合、容器本体の内部に近い側に第二部材２２の気体透過シート３（非選択性透過シート３ｂ）が配置されることになる。
本実施形態の気体透過部材１では、第二部材２２の気体透過シート３は、気体透過部材１として完成される前に、第一部材１２の気体透過シート３と個別に検査することができるため、第二部材２２の気体透過シート３の機能を確実に確認することができる。
【００５５】
《第三実施形態》
第三実施形態の気体透過部材１は、図４及び５に示すように、保持体２の開口側に配置される固定部材７をさらに備え、押圧部は該固定部材７に取り付けられている。
【００５６】
具体的には、本実施形態の気体透過部材１は、保持体２の開口側に配置される固定部材７を備え、前記押圧部４は、一端側が前記固定部材７の外面に固定され、他端側が容器本体１１の貫通孔１１ａの内壁上を押圧する押圧片４ａであって、該押圧片４ａは、前記他端側が前記一端側よりも、前記貫通孔１１ａ内において開口側に配置されるように構成されている。
【００５７】
本実施形態の保持体２は、円形状の天板部２ａと、該天板部２ａの周縁部から延設されている円筒形状の側壁部２ｂとを備え、前記天板部２２ａの上面中央部には、円形状の気体透過シート３が配置可能な円形状の凹部からなるシート取付部２ｅが形成されており、該シート取付部２ｅの中央部には、天板部２ａの厚み方向に貫通する孔２ｆが形成されている。
【００５８】
側壁部２ｂの外周面には、周方向に沿って段部２ｇが形成されている。具体的には、側壁部２ｂの一方の端部側（天板部側）は、外径が天板部２ａの径と略同径である大径部２ｃとして形成され、側壁部２ｂの他方の端部側は、外径が前記大径部２ｃよりも小さくなるような小径部２ｄとして形成されており、大径部２ｃと小径部２ｄとの間に段部２ｇが形成されている。段部２ｇは天板部２ａの上面と平行な下面２ｈを備えており、該下面２ｈは側壁部２ｂの周方向に沿って外向きに突出するように形成されている。
【００５９】
本実施形態の固定部材７は、天板部２ａの上面（すなわち、容器本体１１に気体透過部材１を配置した場合の開口側に配置される面）側に配置可能な板状の固定板７ａと、固定板７ａの周縁部の周方向の複数個所（本実施形態では２箇所）から上方（開口側）に斜め突出するように配置されている押圧部４としての押圧片４ａと、固定板７ａの周縁部の周方向の複数個所（本実施形態では２箇所）であって、前記押圧片４ａが配置されていない箇所から下方に突出するように配置されている係止部材７ｂとを備えている。
尚、本実施形態においても、気体透過部材１を容器本体１１の貫通孔１１ａに配置した場合における、開口側を上方、容器本体１１の内部側を下方とする。
【００６０】
本実施形態の係止部材７ｂは、前記保持体２の外面に係止可能に構成されている。より具体的には、係止部材７ｂは、固定板７ａを保持体２の天板部２ａの上面に接触するように配置した場合に、側壁部２ｂの大径部２ｃ及び小径部２ｄの外面に亘って当接するように上下方向に配置されている一対の固定片７ｃと、該一対の固定片７ｃの下端部同士を連結する連結部材７ｄと、該連結部材７ｄから上方に突出するように配置されている係止突起７ｅとを備えている。
【００６１】
前記連結部材７ｄは、一対の固定片７ｃの下端部から外向き（側壁部２ｂから離れる方向）に、斜め下方に向かって突出するように配置されている。
係止突起７ｅは、連結部材７ｄの中央部からやや内向き（側壁部２ｂに向かう方向）に、斜め上方に突出するように配置されている。
係止突起７ｅの先端は、固定板７ａを保持体２の天板部２ａの上面側に配置した場合に保持体２の段部２ｇの下面２ｈに当接するような位置に配置されている。
本実施形態の固定部材７は、係止突起７ｅを保持体２の段部２ｇの下面２ｈに当接させて、固定部材７を保持体２に取り付けた場合に、天板部２ａの上面と、固定板７ａの下面とにわずかな隙間が形成されるように構成されている。
【００６２】
固定部材７を構成する材質は特に限定されるものではないが、保持体２と同様の金属、合成樹脂等が挙げられる。
特には、押圧片４ａ、係止部材７ｂが、後述するように気体透過部材１を容器本体１１の貫通孔１１ａに挿入する際にある程度変形して貫通孔１１ａに挿入可能であり、挿入後には元の位置に戻ろうとするような可撓性及び弾性を有する材質からなることが好ましい。
【００６３】
本実施形態において、固定部材７は、固定板７ａ、押圧片４ａ及び係止部材７ｂを一体成形等によって一体的に形成されていてもよく、固定板７ａとは別体として成形された押圧片４ａ及び係止部材７ｂ用の部材が、溶接、接着等の取り付け手段で固定板７ａに取り付けられていてもよい。
固定板７ａ、押圧片４ａ及び係止部材７ｂを形成する場合には、例えば、金属板等の板状体を、押圧片、係止部材、固定板となる部分が連続した所定の形状に型抜きし、係止部材となるべき箇所に、固定片、連結部材、係止突起が形成されるような形状に貫通孔を形成し、それぞれを所定の位置で折り曲げることで、固定部材７を形成してもよい。
【００６４】
本実施形態の弾性部５は、保持体２の内部側に嵌合されるゴム部材５から構成されている。ゴム部材５は、中央部に孔が形成された環形状である。
【００６５】
本実施形態において気体透過シート３としては、選択性透過シート３ａと非選択性透過シート３ｂとが取り付けられている。
本実施形態の気体透過部材１においては、保持体２の天板部２ａの上面のシート取付部２ｅに非選択性透過シート３ｂが配置され、天板部２ａの前記上面と対向する面（下面ともいう）に選択性透過シート３ａが配置される。
天板部２ａの上面に配置された非選択性透過シート３ｂは、前記固定部材７の固定板７ａによって上面を固定される。
天板部２ａの下面に配置された選択性透過シート３ａは、ゴム部材５によって下面部の周縁部が固定される。すなわち、保持体２の孔２ｆの上下両端の開口が、選択性透過シート３ａ及び非選択性透過シート３ｂで塞がれるべく、気体透過部材１は構成されている。
尚、選択性透過シート３ａ、非選択性透過シート３ｂは、保持体２に接着等によって取り付けられていてもよく、保持体２と固定部材７あるいはゴム部材５との間に挟まれることで保持されていてもよい。
【００６６】
上記のような本実施形態の気体透過部材１は、上記各実施形態と同様の容器本体１の貫通孔１１ａに取り付けられて通気性容器１０を構成する。
図５に示すように、本実施形態の容器本体１の貫通孔１１ａは、第一実施形態の容器本体１１と同様に、底面１１ｂが形成されている。さらに、該底面部１１ｂの中央部には、前記ゴム部材５が配置される環状の段部１１ｃが形成されている。
【００６７】
本実施形態の気体透過部材１は、容器本体１１に取りつける前に、保持体２、気体透過シート３、固定部材７及びゴム部材５を一体的に取り付けておいてもよい。
例えば、まず保持体２の天板部２ａの上面のシート取付部２ｅに非選択性透過シート３ｂを熱溶着、超音波溶着等の溶着、接着等で取りつけ、さらに保持体２の内部側に選択性透過シート３ａを配置してからゴム部材５を嵌合し、さらに、固定部材７を保持体２の天板部２ａ側から、保持体２に被せて、係止部材７ｂを保持体２の側壁部２ｂの段部２ｇの下面２ｈに係止させることで、気体透過部材１の各部材を一体的に構成する。
このように、気体透過部材１の各部材を一体的に構成することで、容器本体１１への気体透過部材１の取り付けが容易にできる。
【００６８】
気体透過部材１を貫通孔１１ａに取り付けた状態では、ゴム部材５が前記段部１１ｃに圧縮された状態で配置されることで、気体透過部材１と貫通孔１１ａとのシール性を高めることができる。また、圧縮されたゴム部材５の弾性変形による復元力によって前記保持体２を前記開口側に向けて付勢している。
【００６９】
本実施形態の通気性容器１０において、気体透過部材１の固定部材７が容器本体１の最も開口側に配置されることになる。固定部材７には、第一実施形態と同様の押圧片４ａが備えられている。上述のとおり、固定部材７がある程度可撓性及び弾性を有する材質から構成されている場合には、気体透過部材１を容器本体１１の貫通孔１１ａに挿入する際には、貫通孔１１ａの内壁によって押圧片４ａが変形するため、押圧片４ａが邪魔になることなく固定部材７を貫通孔１１ａの内部に挿入できる。
さらに、気体透過部材１を貫通孔１１ａに挿入後には、押圧片４ａが元の位置に戻ろうとする力によって押圧片４ａが貫通孔１１ａの内壁上を押圧した状態になり、前記押圧片４ａと貫通孔１１ａの内壁との摩擦によって、気体透過部材１を係止させながら気体透過部材１を容器本体１１に固定することができる。よって、押圧部４による貫通孔の内壁上に対する押圧力で気体透過部材１が外れにくくできる。
【００７０】
また、本実施形態の気体透過部材１には固定部材７が備えられており、該固定部材７には係止部材７ｂが備えられている。該係止部材７ｂには係止突起７ｅが備えられ、係止突起７ｅの先端は、固定板７ａを保持体２の天板部２ａの上面側に配置した場合に、保持体２の段部２ｇに当接するような位置に配置されている。上述のとおり、固定部材７はある程度可撓性及び弾性を有するような材質から構成されている場合には、係止突起７ｅは、保持体２の側壁部２ｂの表面に沿って変形しながら固定部材７を保持体２取り付けることができる。
【００７１】
本実施形態の保持体２には、外径が天板部２ａの径と略同径である大径部２ｃと、外径が前記大径部２ｃよりも小さくなるような小径部２ｄとが形成されており、大径部２ｃと小径部２ｄとの間に段部２ｇが形成されている。従って、固定部材７が容器本体１１の貫通孔１１ａの開口部から深さ方向に挿入されて、係止突起７ｅが小径部２ｄより下方に配置された場合には、開口側から引き抜く方向に力が加わっても、段部２ｇの下面２ｈに係止突起７ｅが当接した状態になり、該係止突起７ｅが前記段部２ｇの下面２ｈに係止され、容器本体１１から固定部材７がよりはずれにくくなる。
【００７２】
また、本実施形態の固定部材７の固定板７ａは、係止突起７ｅを保持体２の段部２ｇの下面２ｈに当接させて、固定部材７を保持体２に取り付けた場合に、天板部２ａの上面と、固定板７ａの下面とにわずかな隙間が形成されるように構成されている。従って、保持体２の孔２ｆから容器本体１１の内部の気体を容器本体１１の外部空間へ排出させる場合に、前記隙間から気体を通過させることができる。
【００７３】
《第四実施形態》
本実施形態は、上記第三実施形態の変形例である。
本実施形態の保持体２の側壁部２ａは、図６乃至８に示すように、六角柱形状の筒状体である。すなわち本実施形態の側壁部２ａは六面に配置されており、隣接する側壁部２ａとの間には外向きに突出する仕切り壁２５が配置されている。また、六面の側壁部２ａのうち交互に配置されている三面の中央部には突起部２ｋが形成されている。突起部２ｋが形成されていない三面の下部には仕切り壁２５間を連結するように周方向に亘って突出するように構成されており、該三面において、該突出する下部と仕切り壁２５とによって囲まれる部分は後述する押圧片４ａが配置される部分として構成されている。
【００７４】
保持体２の下端側には、底板部２ｉが側壁部２ａの下方開口を塞ぐように配置されている。
底板部２ｉは、底面視六角形状の板状体であり、中央部に貫通孔２ｊが形成されている。
保持体２の上端側は開口されている。
【００７５】
本実施形態の固定部材７の固定板７ａは上面視六角形状の板状体であり、該板状体の周縁部を構成する六つの辺から下方に向かって押圧部４及び保持体２に係止可能な係止部材７ｂが突出するように配置されている。
本実施形態では、固定板７ａの六つの辺において交互に押圧部４及び係止部材７ｂがそれぞれ３つずつ配置されている。また、固定板７ａの中央部には貫通孔７ｆが形成されている。
【００７６】
本実施形態の押圧部４は、固定板７ａの各辺から下方に突出する支持片４ｂと、該支持片４ｂの下端部に一端側が固定され、他端側が前記内壁上を押圧するように、斜め上方に向かって突出する押圧片４ａから構成される。
【００７７】
係止部材７ｂは固定板７ａの各辺（支持片４ｂが配置された各辺に隣接する辺）から下方に突出するように配置されており、各係止部材７ｂには中央部に貫通孔７ｇが形成されている。
【００７８】
本実施形態の固定部材７は保持体２の上端側の開口を固定板７ａで塞ぐように配置される。この時、係止部材７ｂが、突起部２ｋが形成された側壁部２ｂの外側に配置されるように固定部材７と保持体２とは取り付けられる。
係止部材７ｂの貫通孔７ｇには側壁部２ａの突起部２ｋが嵌合されることで、係止部材７ｂが側壁部２ａに係止され、固定部材７と保持体２とは固定される。
【００７９】
また、側壁部２ａの外側には交互に押圧部４及び係止部材７ｂが仕切り壁２５を挟んで配置される。すなわち、仕切り壁２５と、押圧部４及び係止部材７ｂとが噛み合うように固定部材７と保持体２とが取り付けられる。
従って、本実施形態の固定部材７と保持体２とが比較的強固に取り付けられる。
【００８０】
本実施形態の気体透過部材１においては、気体透過シート３は保持体２の上下端部の開口部を塞ぐように２枚配置される。具体的には、保持体２の上端側の開口上側には非選択性透過シート３ｂが配置され前記固定部材７の固定板７ａの下面で固定されている。
保持体２の底板部２ｉの下面側には、選択性透過シート３ａが貫通孔２ｊを塞ぐように配置されている。
【００８１】
上述のような本実施形態の気体透過部材１を、図８に示すように容器本体１１の開口の挿入することで通気性容器１０とすることができる。
【００８２】
《第五実施形態》
本実施形態は、上記第三実施形態の変形例である。
本実施形態の保持体２の側壁部２ａは、図９乃至１１に示すように、第一部材１２と、第二部材２２とから構成されている。
第一部材１２は、円形板状の天板部１２ｌを備えている。該天板部１２ｌの下面には、周方向に環状の溝部１２ｑが形成されている。また、天板部１２ｌの中央部には厚み方向に貫通する貫通孔１２ｒが形成されている。天板部１２ｌの貫通孔１２ｒの周縁部は凹部が形成されており、該凹部が第一シート取付部１２ｓとして形成されている。
【００８３】
第二部材２２は、円形板状の底板部２２ｌを備えている。該底板部２２ｌの中央部には凹部が形成されており、該凹部の周縁部が第二シート取付部２２ｓとして形成されている。さらに凹部の底面部には中央部に厚み方向に貫通する貫通孔が形成されており、該貫通孔の周縁部が第三シート取付部２２ｔとして形成されている。
【００８４】
底板部２２ｌの周縁部には上方に突出する複数の連結突起部２２ｕ（本実施形態では六本）が周方向に均等間隔で配置されている。各連結突起部２２ｕの上端部には、内側（底板部２２ｌの中央部側）に突出する係止部２２ｖが形成されている。
底板部２２ｌの下面には周縁部に周方向に沿って溝部２２ｑが形成されている。
【００８５】
本実施形態において気体透過シート３としては、選択性透過シート３ａと、複数(本実施形態では２枚)の非選択性透過シート３ｂとが取り付けられている。
選択性透過シート３ａは底板部２２ｌの第二シート取付部２２ｓに配置される。非選択性透過シート３ｂの一枚は、底板部２２ｌの第三シート取付部２２ｔに配置される。非選択性透過シート３ｂのもう一枚は、第一部材１２の天板部１２ｌに形成された第一シート取付部１２ｓに配置される。
【００８６】
本実施形態の弾性部５は、保持体２の第二部材２２の底板部２２１の下面に形成された溝部２２ｑに嵌合される第一ゴム部材５ａと、第一部材１２と第二部材２２の間に配置される環状の第二ゴム部材５ｂとから構成されている。
第二ゴム部材５ｂは、底板部２２ｌの第二シート取付部２２ｓに配置された選択性透過シート３ａの周縁部上面に配置され、前記第一部材１２と第二部材とを嵌合させた場合に両部材のシール性を向上させることもできる。
【００８７】
本実施形態の固定部材７の固定板７ａは、図１０に示すように、上面視八角形状の板状体であり、中央部に貫通孔７ｆが形成されている。
固定板７ａの各辺からは上方に向かって且つ外向きの斜め方向に突出する８つの押圧片４ａが形成されており、押圧部４を構成している。
【００８８】
本実施形態の気体透過部材１は、上述のような保持体２、固定部材７、第一、第二ゴム部材５ａ，５ｂが取り付けられて構成されている。
すなわち、まず、上述のように、保持体２の第一乃至第三シート取付部１２ｓ、２２ｓ、２２ｔに各気体透過シート３を配置し、第二ゴム部材５ｂを溝部１２ｑに配置して、さらに固定部材７を第一部材１２の上面に配置してから、第一部材１２の外周縁に第二部材２２の連結突起部２２ｕが配置されるように各部材は取り付けられる。
この時、固定部材７の８つの押圧片４ａは、第二部材２２の連結突起部２２ｕの間に配置されるように固定部材７は配置される。また、連結突起部２２ｕの上端部に形成された係止部２２ｖが固定部材７の固定板７ａの上面にひっかかり、固定部材７と保持体２とが係止されるように各部材は取り付けられる。
すなわち、本実施形態の固定部材７と保持体２とは、保持体２に備えられた連結突起部２２ｕによって係止されるべく構成されている。
従って、本実施形態の気体透過部材１は、保持体２及び固定部材７が固定された状態で取り付けられるため、本実施形態の固定部材７と保持体２とは比較的強固に取り付けられる。
さらに、固定部材７と保持体２とが取り付けられた状態で、保持体２（第二部材２２）の底板部２２ｌの下面に形成された溝部２２ｑに第一ゴム部材５ａが嵌合されることで、本実施形態の気体透過部材1は形成される。
【００８９】
上述のような本実施形態の気体透過部材１を、図１１に示すように容器本体１１の開口の挿入することで本実施形態の通気性容器１０とすることができる。
本実施形態の通気性容器１０は、通気性部材１において二箇所にゴム部材５ａ、５ｂが配置されているため、保持体２を開口側に向けてより強く付勢することができる。よって、押圧片４ａが開口側に向かって貫通孔１１ａの内壁上を押圧する力がより強くなり、気体透過部材が貫通孔からよりはずれにくくなる。
【００９０】
尚、前記実施形態にかかる気体透過部材及び通気性容器は以上のとおりであるが、今回開示された実施の形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【００９１】
例えば、前記実施形態において、気体透過部材１の押圧部４としては、保持体２あるいは固定部材７の外周に周方向に所定の間隔を有して取り付けられている複数の板状体の押圧片４ａから構成されたものとしたが、押圧部としてはこれに限定されるものではない。例えば、押圧片は保持体２の外周面あるいは固定部材７の一箇所に取付けられていてもよく、あるいは、これらの外周面に連続した状態で環状に突出するように形成された押圧部でもよい。
【００９２】
また、前記実施形態において、気体透過部材は、容器本体の貫通孔の内部において、弾性変形による復元力によって前記保持体を前記開口側に向けて付勢する弾性部を備えており、弾性部は保持体の端部の凹部に嵌合されたゴム部材から構成したが、弾性部としてはこれに限定されるものではない。例えば、気体透過部材の一端部（容器本体の貫通孔の開口からに挿入した場合に開口から反対の側の端部）に、バネ等の弾性部材を取付けてもよい。さらには、弾性部が備えられていなくてもよい。この場合には、保持体の一方向に貫通する孔から気体透過部材の通気孔が構成される。
【符号の説明】
【００９３】
１…気体透過部材、２…保持体、３…気体透過シート、３ａ…選択性透過シート、３ｂ…非選択性透過シート、４…押圧部、４ａ…押圧片、５…ゴム部材、６…通気孔、７…固定部材、１０…通気性容器、１１…容器本体、１１ａ…貫通孔、１１ｂ…底面、１２、２１…第一部材、２１ａ…凹部、２２…第二部材、２ａ、２２ａ、７ａ…天板部、２２ｂ…側壁部、Ｓ…内部空間。
【図１】
2015181153.tif 000003
【図２】
2015181153.tif 000004
【図３】
2015181153.tif 000005
【図４】
2015181153.tif 000006
【図５】
2015181153.tif 000007
【図６】
2015181153.tif 000008
【図７】
2015181153.tif 000009
【図８】
2015181153.tif 000010
【図９】
2015181153.tif 000011
【図１０】
2015181153.tif 000012
【図１１】
2015181153.tif 000013